【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
送信元装置、送信先装置及び１以上の中間装置を有するマルチホップ無線通信システムで使用する送信方法であって、前記送信元装置は、該送信元装置から前記１以上の中間装置を介して前記送信先装置に至る通信パスを形成する一連のリンクに沿って情報を送信し、前記１以上の中間装置は、前記通信パスに沿って先行する装置から情報を受信し且つ前記通信パスに沿って後続の装置に受信情報を送信し、前記マルチホップ無線通信システムでは、時間及び周波数フォーマットを利用して無線信号が送信され、複数の送信ウインドウが１つの送信期間内に設けられ、各送信ウインドウは、前記送信期間において、異なる部分を占め、当該送信方法は、
該送信期間内の第１送信ウインドウでプリアンブルを送信し、
前記第１送信ウインドウとは異なる、該送信期間内の第２送信ウインドウでシーケンスを送信し、
該シーケンスは、該１以上の中間装置によって同期又はモニターのために使用される、
ことを特徴とする送信方法。
【請求項２】
前記第２送信ウインドウは、前記１以上の中間装置のうちの少なくとも１つの中間装置への送信のために、前記送信元装置に割り当てられる請求項１記載の送信方法。
【請求項３】
前記第２送信ウインドウは、前記１以上の中間装置にのうちの少なくとも１つの中間装置に対して、下流の中間装置への送信のために、割り当てられる請求項１又は２に記載の送信方法。
【請求項４】
送信される前記シーケンスは、該シーケンスの送信元を識別のために利用される請求項１乃至３の何れか１項に記載の送信方法。
【請求項５】
前記システムは、プリアンブルとして一群のシーケンスを利用し、前記送信導入シーケンスは該一群のシーケンスに属する請求項１乃至４の何れか１項に記載の送信方法。
【請求項６】
前記プリアンブルシーケンスは、ブーストされて送信される請求項１乃至５の何れか１項に記載の送信方法。
【請求項７】
送信される前記シーケンスは、ブーストされて送信される請求項６記載の送信方法。
【請求項８】
送信される前記シーケンスは、前記プリアンブルより弱くブーストされて送信される請求項７記載の送信方法。
【請求項９】
ブーストの差分は９ｄＢ以下の大きさである請求項１乃至８の何れか１項に記載の送信方法。
【請求項１０】
前記シーケンスは、前記プリアンブルとは異なる信号列を持つ請求項１乃至４又は６乃至８の何れか１項に記載の送信方法。
【請求項１１】
特定の送信期間の後で、前記装置の１つが該フォーマットの中でシーケンスの再配置を要求し、
特定の送信期間に続く送信期間でプリアンブルと共にメッセージを送信する際に、ある送信期間の部分に対応する後続の送信期間の第１送信ウインドウでプリアンブルを送信し、該ある送信期間は、前記特定の送信期間の前記第１送信ウインドウで占められる送信期間の部分に続くものであり、
前記後続の送信期間の第３送信ウインドウでシーケンスを送信し、該後続の送信期間は、特定の送信期間の前記第１及び第２送信ウインドウで占められる送信期間の一部に続く送信期間の部分には対応しない請求項１乃至１０の何れか１項に記載の送信方法。
【請求項１２】
前記特定の送信期間に続く送信期間でプリアンブルとともにメッセージを送信する際に、ある送信期間の部分に対応する後続の送信期間の第１送信ウインドウでプリアンブルを送信し、該ある送信期間は、前記特定の送信期間の前記第１送信ウインドウで占められる送信期間の部分に続くものであり、
如何なる送信導入シーケンスも送信しないようにした請求項１乃至１１の何れか１項に記載の送信方法。
【請求項１３】
前記特定の送信期間に続く送信期間でプリアンブルとともにメッセージを送信する際に、ある送信期間の部分に対応する後続の送信期間の第１送信ウインドウでプリアンブルを送信し、該ある送信期間は、前記特定の送信期間の前記第１送信ウインドウで占められる送信期間の部分に続くものであり、
ある送信期間の部分に対応する後続の送信の第２送信ウインドウでシーケンスを送信し、該ある送信期間は、前記特定の送信期間の前記第２送信ウインドウで占められる送信期間の部分に続くものである請求項１乃至１２の何れか１項に記載の送信方法。
【請求項１４】
前記後続の送信期間が、前記特定の送信期間と１つ以上の他の送信期間だけ離れている請求項１１，１２又は１３に記載の送信方法。
【請求項１５】
前記特定の送信期間での送信に先立って、前記装置の１つが前記シーケンスの送信を要求する請求項１乃至１４の何れか１項に記載の送信方法。
【請求項１６】
送信元装置、送信先装置及び１以上の中間装置を有するマルチホップ無線通信システムであって、前記送信元装置は、該送信元装置から前記１以上の中間装置を介して前記送信先装置に至る通信パスを形成する一連のリンクに沿って情報を送信し、前記１以上の中間装置は、前記通信パスに沿って先行する装置から情報を受信し且つ前記通信パスに沿って後続の装置に受信情報を送信し、前記マルチホップ無線通信システムでは、時間及び周波数フォーマットを利用して無線信号が送信され、複数の送信ウインドウが１つの送信期間内に設けられ、各送信ウインドウは、前記送信期間において、異なる部分を占め、当該マルチホップ通信システムは、
該送信期間内の第１送信ウインドウでプリアンブルを送信し、
前記第１送信ウインドウとは異なる、該送信期間内の第２送信ウインドウでシーケンスを送信し、
該シーケンスは、該１以上の中間装置によって同期又はモニターのために使用される、
ことを特徴とするマルチホップ通信システム。
【請求項１７】
マルチホップ無線通信システムを管理するネットワーク管理エンティティであって、前記マルチホップ無線通信システムは、送信元装置、送信先装置及び１つ以上の中間装置を有し、前記送信元装置は、該送信元装置から前記１以上の中間装置を介して前記送信先装置に至る通信パスを形成する一連のリンクに沿って情報を送信し、前記１以上の中間装置は、前記通信パスに沿って先行する装置から情報を受信し且つ前記通信パスに沿って後続の装置に受信情報を送信し、
時間及び周波数フォーマットを利用して無線信号が送信され、複数の送信ウインドウが１つの送信期間内に設けられ、各送信ウインドウは、前記送信期間において、異なる部分を占め、
該送信期間内の第１送信ウインドウでプリアンブルが送信され、
前記第１送信ウインドウとは異なる、該送信期間内の第２送信ウインドウでシーケンスが送信され、
該シーケンスは、該１以上の中間装置によって同期又はモニターのために使用される、
ネットワーク管理エンティティ。
【請求項１８】
マルチホップ無線通信システムで使用する送信元装置であって、該送信元装置から中間装置を介して送信先装置に至る通信パスを形成する一連のリンクに沿って情報を送信し、前記中間装置は、前記通信パスに沿って先行する装置から情報を受信し且つ前記通信パスに沿って後続の装置に受信情報を送信し、
時間及び周波数フォーマットを利用して無線信号が送信され、複数の送信ウインドウが１つの送信期間内に設けられ、各送信ウインドウは、前記送信期間において、異なる部分を占め、
該送信期間内の第１送信ウインドウでプリアンブルが送信され、
前記第１送信ウインドウとは異なる、該送信期間内の第２送信ウインドウでシーケンスが送信され、
該シーケンスは、該１以上の中間装置によって同期又はモニターのために使用される、送信元装置。
【請求項１９】
送信元装置、送信先装置及び１つ以上の中間装置を有するマルチホップ無線通信システムで使用する特定の中間装置であって、前記送信元装置は、該送信元装置から前記中間装置を介して前記送信先装置に至る通信パスを形成する一連のリンクに沿って情報を送信し、前記中間装置は、前記通信パスに沿って先行する装置から情報を受信し且つ前記通信パスに沿って後続の装置に受信情報を送信し、
時間及び周波数フォーマットを利用して無線信号が送信され、複数の送信ウインドウが１つの送信期間内に設けられ、各送信ウインドウは、前記送信期間において、異なる部分を占め、
該送信期間内の第１送信ウインドウでプリアンブルが送信され、
前記第１送信ウインドウとは異なる、該送信期間内の第２送信ウインドウでシーケンスが送信され、
該シーケンスは、当該中間装置によって同期又はモニターのために使用される、
ことを特徴とする中継装置。
【請求項２０】
送信元装置、送信先装置及び１つ以上の中間装置を有するマルチホップ無線通信システムの通信装置で実行されるコンピュータプログラムであって、前記送信元装置は、該送信元装置から前記中間装置を介して前記送信先装置に至る通信パスを形成する一連のリンクに沿って情報を送信し、前記中間装置は、前記通信パスに沿って先行する装置から情報を受信し且つ前記通信パスに沿って後続の装置に受信情報を送信し、
時間及び周波数フォーマットを利用して無線信号が送信され、複数の送信ウインドウが１つの送信期間内に設けられ、各送信ウインドウは、前記送信期間において、異なる部分を占め、
該送信期間内の第１送信ウインドウでプリアンブルを送信し、
前記第１送信ウインドウとは異なる、該送信期間内の第２送信ウインドウでシーケンスを送信し、
該シーケンスは、該１以上の中間装置によって同期又はモニターのために使用されるようにした方法を前記マルチホップ無線通信システムに実行させるコンピュータプログラム。